(57)【特許請求の範囲】
【請求項１】
クライアント装置にサービスを提供するサーバ装置であって、
サーバ装置が提供するサービスに接続する際に必要な、重要度の異なる複数種類の接続情報を、重要度と関連付けて格納し管理する情報管理部と、
情報管理部に格納された複数種類の接続情報を、より高い重要度と関連付けて格納されている接続情報ほど、光の強弱の変化をより小さく取った光信号に変調して、第１の通信機能により、前記複数種類の接続情報を有する当該光信号を繰り返し送信する光信号送信部と、
前記クライアント装置から、前記第１の通信機能とは異なる第２の通信機能によって、前記複数種類の接続情報のうちの、所定の種類の接続情報を伴う接続要求がなされた場合に、当該クライアント装置に対する前記サービスを提供するための認証処理を接続要求に付随する接続情報の重要度に応じて行う機能を有するサービス提供部とを備えること、を特徴とするサーバ装置。
【請求項２】
前記光信号送信部は、
前記複数種類の接続情報毎に、送信区間を割り当てて、各送信区間の先頭に、出力可能な最大の強度の基準光を送信することと、前記基準光の強さを基準として、送信区間の変調における光の強弱の範囲を設定することを特徴とする請求項１に記載のサーバ装置。
【請求項３】
前記複数種類の接続情報のうちの１つは、接続対象のサーバ装置を特定する為に必要な接続先特定情報であり、
前記クライアント装置からの前記接続要求は、前記接続先特定情報に基づいて特定されたサーバ装置に向けてなされ、
前記情報管理部は、
前記認証情報を、前記接続先特定情報よりも高い重要度と関連付けて格納していること、を特徴とする請求項１〜２のいずれか１項に記載のサーバ装置。
【請求項４】
前記所定の種類の接続情報は、前記サービスを提供する際の認証に必要な認証情報であり、
前記サービス提供部は、
前記クライアント装置から、前記第２の通信機能によって、前記認証情報を伴わない接続要求がなされた場合に、前記サービスを提供する前に、前記クライアント装置に前記認証情報を要求し、前記クライアント装置から前記認証情報を受信することを特徴とする請求項１〜３のいずれか１項に記載のサーバ装置。
【請求項５】
前記光信号送信部は、
前記複数種類の接続情報のそれぞれをさらに分割し、分割した情報を、クライアント装置がサーバ装置に対して所定の距離以内に存在する必要があるよう予め設定された時間分ずらして送信すること、を特徴とする請求項１〜４のいずれか１項に記載のサーバ装置。
【請求項６】
前記情報管理部は、さらに、
前記複数種類の接続情報を、定期的、あるいは不定期に変更し、
前記光信号送信部は、
前記情報管理部により前記複数種類の接続情報が変更されたときに、変更された複数種類の接続情報を、より高い重要度と関連付けて格納されている接続情報ほど、光の強弱の変化をより小さく取った光信号に変調して、前記第１の通信機能により、当該光信号を送信し、
前記サービス提供部は、
前記光信号送信部により前記変更された複数種類の接続情報が出力されてから、所定の時間までに、前記サービスを提供しているクライアント装置から、前記変更された複数種類の接続情報のうちの、所定の種類の接続情報を伴う接続要求がなされない場合に、前記サービスの提供を止めること、を特徴とする請求項１〜４のいずれか１項に記載のサーバ装置。
【請求項７】
サーバ装置からサービスの提供を受けるクライアント装置であって、
前記サーバ装置が提供するサービスに接続する際に必要な、重要度の異なる複数種類の接続情報が、より高い重要度と関連付けている接続情報ほど、光の強弱の変化がより小さくなるように当該サーバ装置により変調された光信号を、第１の通信機能により受光して、受光した光信号を復調して、前記複数種類の接続情報の取得を試みる接続情報取得部と、
前記接続情報取得部により所定の種類の接続情報を取得することができた場合に、前記サーバ装置へ、当該所定の種類の接続情報を伴う接続要求を、前記第１の通信機能とは異なる第２の通信機能によって送信することにより、前記サービスの提供を受けるサービス享受部とを備えること、を特徴とするクライアント装置。
【請求項８】
前記所定の種類の接続情報は、前記サービスの提供を受ける際の認証に必要な認証情報であり、
前記サービス享受部は、
前記接続情報取得部により前記接続先特定情報を取得することができ、前記認証情報を取得することができなかった場合に、当該認証情報を伴わない接続要求を、当該接続先特定情報に基づいて特定されたサーバ装置に向けて送信し、ユーザによる認証操作を行うことにより、前記サービスの提供を受けることを特徴とする請求項７に記載のクライアント装置。
【請求項９】
前記複数種類の接続情報のうちの１つは、接続対象のサーバ装置を特定する為に必要な接続先特定情報であり、
前記認証情報は、前記接続先特定情報よりも高い重要度と関連付けられており、
前記サービス享受部は、
前記接続情報取得部により前記接続先特定情報と前記認証情報とを取得することができた場合に、当該認証情報を伴う接続要求を、当該接続先特定情報に基づいて特定されたサーバ装置に向けて送信すること、を特徴とする請求項８に記載のクライアント装置。
【請求項１０】
前記接続情報取得部により受光される光信号は、前記複数種類の接続情報毎に、送信区間が割り当てられ、各送信区間の先頭に、前記サーバ装置が出力可能な最大の強度の基準光が送信されており、
前記接続情報取得部は、
前記基準光と、その後に続く光信号の強度との割合から、各送信区間の解像度を割り出すこと、を特徴とする請求項７〜９のいずれか１項に記載のクライアント装置。
【請求項１１】
前記接続情報取得部は、
前記複数種類の接続情報の取得を試みる際に、一度復調した各接続情報が分割されたものである場合に、一旦各接続情報を保持しておき、全部揃ってから、これらを結合すること、を特徴とする請求項７〜９のいずれか１項に記載のクライアント装置。
【請求項１２】
前記複数種類の接続情報は、定期的、あるいは不定期に変更され、
前記サービス享受部は、
前記サービスの提供を受けている間に、前記接続情報取得部により所定の種類の接続情報を取得することができた場合に、サーバ装置へ、当該所定の種類の接続情報を伴う接続要求を、前記第２の通信機能によって送信すること、を特徴とする請求項７〜９のいずれか１項に記載のクライアント装置。
【請求項１３】
サーバ装置とクライアント装置とによって構成され、サーバ装置からクライアント装置へ、サービスが提供される通信システムであって、
前記サーバ装置は、
前記サーバ装置が提供するサービスに接続する際に必要な、重要度の異なる複数種類の接続情報を、重要度と関連付けて格納し管理する情報管理部と、
情報管理部に格納された複数種類の接続情報を、より高い重要度と関連付けて格納されている接続情報ほど、光の強弱の変化をより小さく取った光信号に変調して、第１の通信機能により、前記複数種類の接続情報を有する当該光信号を繰り返し送信する光信号送信部と、
前記クライアント装置から、前記第１の通信機能とは異なる第２の通信機能によって、前記複数種類の接続情報のうちの、所定の種類の接続情報を伴う接続要求がなされた場合に、当該クライアント装置に対する前記サービスを提供するための認証処理を接続要求に付随する接続情報の重要度に応じて行う機能を有するサービス提供部とを備え、
前記クライアント装置は、
前記サーバ装置が備える光信号送信部により出力された光信号を、前記第１の通信機能により受光して、受光した光信号を復調して、前記複数種類の接続情報の取得を試みる接続情報取得部と、
前記接続情報取得部により所定の種類の接続情報を取得することができた場合に、サーバ装置へ、当該所定の種類の接続情報を伴う接続要求を、前記第２の通信機能によって送信することにより、前記サービスの提供を受けるサービス享受部とを備えること、を特徴とする通信システム。
【請求項１４】
クライアント装置にサービスを提供するサーバ装置に用いられるサーバ制御用集積回路であって、
前記サーバ装置が提供するサービスに接続する際に必要な、重要度の異なる複数種類の接続情報を、重要度と関連付けて管理する情報管理部、
情報管理部により管理された複数種類の接続情報を、より高い重要度と関連付けて格納されている接続情報ほど、光の強弱の変化をより小さく取った光信号に変調して、第１の通信機能により、前記複数種類の接続情報を有する当該光信号を繰り返し送信する光信号送信部、及び、
前記クライアント装置から、前記第１の通信機能とは異なる第２の通信機能によって、前記複数種類の接続情報のうちの、所定の種類の接続情報を伴う接続要求がなされた場合に、当該クライアント装置に対する前記サービスを提供するための認証処理を接続要求に付随する接続情報の重要度に応じて行う機能を有するサービス提供部として機能する回路を集積する。
【請求項１５】
サーバ装置からサービスの提供を受けるクライアント装置に用いられるクライアント制御用集積回路であって、
前記サーバ装置により、当該サーバ装置が提供するサービスに接続する際に必要な、重要度の異なる複数種類の接続情報が、より高い重要度と関連付けている接続情報ほど、光の強弱の変化がより小さくなるように変調された光信号を、第１の通信機能により受光して、受光した光信号を復調して、前記複数種類の接続情報の取得を試みる接続情報取得部、及び、
前記接続情報取得部により所定の種類の接続情報を取得することができた場合に、前記サーバ装置へ、当該所定の種類の接続情報を伴う接続要求を、前記第１の通信機能とは異なる第２の通信機能によって送信することにより、前記サービスの提供を受けるサービス享受部として機能する回路を集積する。
【請求項１６】
クライアント装置にサービスを提供するサーバ装置により実行されるサーバプログラムであって、
前記サーバ装置に、
前記サーバ装置が提供するサービスに接続する際に必要な、重要度の異なる複数種類の接続情報を、重要度と関連付けて管理する情報管理ステップと、
情報管理ステップにより管理された複数種類の接続情報を、より高い重要度と関連付けて格納されている接続情報ほど、光の強弱の変化をより小さく取った光信号に変調して、第１の通信機能により、前記複数種類の接続情報を有する当該光信号を繰り返し送信する光信号送信ステップと、
前記クライアント装置から、前記第１の通信機能とは異なる第２の通信機能によって、前記複数種類の接続情報のうちの、所定の種類の接続情報を伴う接続要求がなされた場合に、当該クライアント装置に対する前記サービスを提供するための認証処理を接続要求に付随する接続情報の重要度に応じて行う機能を有するサービス提供ステップと、を実行させることを特徴とするサーバプログラム。
【請求項１７】
サーバ装置からサービスの提供を受けるクライアント装置により実行されるクライアントプログラムであって、
前記クライアント装置に、
前記サーバ装置により、当該サーバ装置が提供するサービスに接続する際に必要な、重要度の異なる複数種類の接続情報が、より高い重要度と関連付けている接続情報ほど、光の強弱の変化がより小さくなるように変調された光信号を、第１の通信機能により受光して、受光した光信号を復調して、前記複数種類の接続情報の取得を試みる接続情報取得ステップと、
前記接続情報取得ステップにより所定の種類の接続情報を取得することができた場合に、前記サーバ装置へ、当該所定の種類の接続情報を伴う接続要求を、前記第１の通信機能とは異なる第２の通信機能によって送信することにより、前記サービスの提供を受けるサービス享受ステップと、を実行させることを特徴とするクライアントプログラム。
【請求項１８】
クライアント装置にサービスを提供するサーバ装置により実行される、クライアント装置への接続方法であって、
前記サーバ装置が提供するサービスに接続する際に必要な、重要度の異なる複数種類の接続情報を、重要度と関連付けて管理する情報管理ステップと、
情報管理ステップにより管理された複数種類の接続情報を、より高い重要度と関連付けて格納されている接続情報ほど、光の強弱の変化をより小さく取った光信号に変調して、第１の通信機能により、前記複数種類の接続情報を有する当該光信号を繰り返し送信する光信号送信ステップと、
前記クライアント装置から、前記第１の通信機能とは異なる第２の通信機能によって、前記複数種類の接続情報のうちの、所定の種類の接続情報を伴う接続要求がなされた場合に、当該クライアント装置に対する前記サービスを提供するための認証処理を接続要求に付随する接続情報の重要度に応じて行う機能を有するサービス提供ステップと、を含むことを特徴とするクライアント装置への接続方法。
【請求項１９】
サーバ装置からサービスの提供を受けるクライアント装置により実行される、サーバ装置への接続方法であって、
前記サーバ装置により、当該サーバ装置が提供するサービスに接続する際に必要な、重要度の異なる複数種類の接続情報が、より高い重要度と関連付けている接続情報ほど、光の強弱の変化がより小さくなるように変調された光信号を、第１の通信機能により受光して、受光した光信号を復調して、前記複数種類の接続情報の取得を試みる接続情報取得ステップと、
前記接続情報取得ステップにより所定の種類の接続情報を取得することができた場合に、前記サーバ装置へ、当該所定の種類の接続情報を伴う接続要求を、前記第１の通信機能とは異なる第２の通信機能によって送信することにより、前記サービスの提供を受けるサービス享受ステップと、を含むことを特徴とするサーバ装置への接続方法。
【請求項２０】
サーバ装置とクライアント装置とによって構成され、サーバ装置からクライアント装置へ、サービスが提供される通信システムにおける接続方法であって、
前記サーバ装置において、自身が提供するサービスに接続する際に必要な、重要度の異なる複数種類の接続情報を、重要度と関連付けて管理する情報管理ステップと、
前記サーバ装置において、情報管理ステップにより管理された複数種類の接続情報を、より高い重要度と関連付けて格納されている接続情報ほど、光の強弱の変化をより小さく取った光信号に変調して、第１の通信機能により、前記複数種類の接続情報を有する当該光信号を繰り返し送信する光信号送信ステップと、
前記サーバ装置において、前記クライアント装置から、前記第１の通信機能とは異なる第２の通信機能によって、前記複数種類の接続情報のうちの、所定の種類の接続情報を伴う接続要求がなされた場合に、当該クライアント装置に対する前記サービスを提供するための認証処理を接続要求に付随する接続情報の重要度に応じて行う機能を有するサービス提供ステップと、
前記クライアント装置において、前記サーバ装置が備える光信号送信部により出力された光信号を、前記第１の通信機能により受光して、受光した光信号を復調して、前記複数種類の接続情報の取得を試みる接続情報取得ステップと、
前記クライアント装置において、前記接続情報取得ステップにより所定の種類の接続情報を取得することができた場合に、前記サーバ装置へ、当該所定の種類の接続情報を伴う接続要求を、前記第２の通信機能によって送信することにより、前記サービスの提供を受けるサービス享受ステップと、を含むことを特徴とする通信システムにおける接続方法。
【発明の詳細な説明】
【技術分野】
【０００１】
本発明は、光無線等の指向性のある無線通信機能を持つ通信システムに関し、より特定的には、機器同士が接続を行う場合に必要となる、アドレスや認証情報等の接続情報の交換方式に関する。
【背景技術】
【０００２】
近年、テレビ等の宅内家電機器や携帯電話等のモバイル機器の多くに、無線ＬＡＮ（Ｌｏｃａｌ  Ａｒｅａ  Ｎｅｔｗｏｒｋ）やＥｔｈｅｒｎｅｔ（登録商標）といった通信機能が搭載されており、それぞれの機器がネットワーク接続することによって、機器連携への応用が可能となる。
例えばモバイル機器と宅内家電とを接続する場合には、正しいユーザのみが接続可能なようにするために、ユーザがＩＤやパスワード等の認証情報を、全ての宅内家電に予め設定しておかなければならず、ユーザに負担のかかる作業を強いることになるという問題がある。【０００３】
このような問題に対し、例えば、宅内家電に設置された任意のボタンをユーザが押すと、一定時間以内に接続を要請してきたモバイル機器を認証無しで接続し、認証情報を自動的に設定することにより、ユーザによる認証情報の設定の手間を軽減するという第１の方法がある。
しかしながら、この第１の方法では、一定時間セキュリティを担保できない状態が発生するという問題がある。【０００４】
さらにこのような問題に対し、近距離無線や指向性の高い無線技術を利用することにより、モバイル機器と宅内家電との物理的な距離や方向を限定し、また限定されたエリアから接続を要請してきたモバイル機器のみを認証無しで接続することにより、セキュリティを強化する第２の方式がある。
第２の方式によれば、例えば部屋の中の特定エリアにおいては接続が可能だが、屋外からは接続できないような接続システムを構築することができる。
また例えば、通信開始時に機器間の距離を測定し、距離に応じてセキュリティの強度を変え、特に機器間の距離が近い場合は認証を不要とする技術が、特許文献１に開示されている。
【先行技術文献】
【特許文献】
【０００５】
【特許文献１】特開２００８−１７３０１号公報
【発明の概要】
【発明が解決しようとする課題】
【０００６】
しかしながら、特許文献１の技術では、機器間の距離を測定する為に、送受信される信号の往復時間を高精度に計測する機能などの高性能な端末実装が必要であり、コストが高いという問題がある。
それ故に、本発明は、高性能な端末実装を必要とせずに、機器間の距離に応じてセキュリティの強度を変えることができるサーバ装置、クライアント装置、通信システム、サーバ制御用集積回路、クライアント制御用集積回路、サーバプログラム、クライアントプログラム、クライアント装置への接続方法、サーバ装置への接続方法、及び通信システム接続方法を提供することを目的とする。
【課題を解決するための手段】
【０００７】
本発明は、サーバ装置、クライアント装置、通信システム、サーバ制御用集積回路、クライアント制御用集積回路、サーバプログラム、クライアントプログラム、クライアント装置への接続方法、サーバ装置への接続方法、及び通信システム接続方法に向けられている。そして上記課題を解決するために、本発明のサーバ装置は、クライアント装置にサービスを提供するサーバ装置であって、情報管理部、光信号送信部、及びサービス提供部を備える。情報管理部は、サーバ装置が提供するサービスに接続する際に必要な、重要度の異なる複数種類の接続情報を、重要度と関連付けて格納し管理する。光信号送信部は、情報管理部に格納された複数種類の接続情報を、より高い重要度と関連付けて格納されている接続情報ほど、光の強弱の変化をより小さく取った光信号に変調して、第１の通信機能により、当該光信号を送信する。サービス提供部は、前記クライアント装置から、前記第１の通信機能とは異なる第２の通信機能によって、前記複数種類の接続情報のうちの、所定の種類の接続情報を伴う接続要求がなされた場合に、前記接続情報を用いて、当該クライアント装置に対する前記サービスを提供するための自動認証を行う自動認証機能を有する。【０００８】
好ましくは、サーバ装置において、前記所定の種類の接続情報は、前記サービスを提供する際の認証に必要な認証情報であり、前記サービス提供部は、前記クライアント装置から、前記第１の通信機能とは異なる第２の通信機能によって、前記認証情報を伴わない接続要求がなされた場合に、前記サービスを提供する前に、前記クライアント装置に前記認証情報を要求し、前記クライアント装置から前記認証情報を受信するとよい。【０００９】
好ましくは、サーバ装置において、前記複数種類の接続情報のうちの１つは、接続対象のサーバ装置を特定する為に必要な接続先特定情報であり、前記クライアント装置からの前記接続要求は、前記接続先特定情報に基づいて特定されたサーバ装置に向けてなされ、前記情報管理部は、前記認証情報を、前記接続先特定情報よりも高い重要度と関連付けて格納しているとよい。【００１０】
好ましくは、サーバ装置において、前記光信号送信部は、前記複数種類の接続情報毎に、送信区間を割り当てて、各送信区間の先頭に、出力可能な最大の強度の基準光を送信するとよい。【００１１】
好ましくは、サーバ装置において、前記光信号送信部は、前記複数種類の接続情報を、それぞれ分割し、分割した情報を時間をずらして送信するとよい。【００１２】
好ましくは、サーバ装置において、前記情報管理部は、さらに、前記複数種類の接続情報を、定期的、あるいは不定期に変更し、前記光信号送信部は、情報管理部により前記複数種類の接続情報が変更されたときに、変更された複数種類の接続情報を、より高い重要度と関連付けて格納されている接続情報ほど、光の強弱の変化をより小さく取った光信号に変調して、前記第１の通信機能により、当該光信号を送信し、前記サービス提供部は、前記光信号送信部により前記変更された複数種類の接続情報が出力されてから、所定の時間までに、前記サービスを提供しているクライアント装置から、前記変更された複数種類の接続情報のうちの、所定の種類の接続情報を伴う接続要求がなされない場合に、前記サービスの提供を止めるとよい。
【００１３】
また、上記課題を解決するために、本発明のクライアント装置は、サーバ装置からサービスの提供を受けるクライアント装置であって、接続情報取得部、及びサービス享受部を備える。接続情報取得部は、前記サーバ装置により、当該サーバ装置が提供するサービスに接続する際に必要な、重要度の異なる複数種類の接続情報が、より高い重要度と関連付けている接続情報ほど、光の強弱の変化がより小さくなるように変調された光信号を、第１の通信機能により受光して、受光した光信号を復調して、前記複数種類の接続情報の取得を試みる。サービス享受部は、前記接続情報取得部により所定の種類の接続情報を取得することができた場合に、前記サーバ装置へ、当該所定の種類の接続情報を伴う接続要求を、前記第１の通信機能とは異なる第２の通信機能によって送信することにより、前記サービスの提供を受ける。【００１４】
好ましくは、クライアント装置において、前記所定の種類の接続情報は、前記サービスの提供を受ける際の認証に必要な認証情報であり、前記サービス享受部は、前記接続情報取得部により前記接続先特定情報を取得することができ、前記認証情報を取得することができなかった場合に、当該認証情報を伴わない接続要求を、当該接続先特定情報に基づいて特定されたサーバ装置に向けて送信し、ユーザによる認証操作を行うことにより、前記サービスの提供を受けるとよい。【００１５】
好ましくは、クライアント装置において、前記複数種類の接続情報のうちの１つは、接続対象のサーバ装置を特定する為に必要な接続先特定情報であり、前記認証情報は、前記接続先特定情報よりも高い重要度と関連付けられており、前記サービス享受部は、前記接続情報取得部により前記接続先特定情報と前記認証情報とを取得することができた場合に、当該認証情報を伴う接続要求を、当該接続先特定情報に基づいて特定されたサーバ装置に向けて送信するとよい。【００１６】
好ましくは、クライアント装置において、前記接続情報取得部により受光される光信号は、前記複数種類の接続情報毎に、送信区間が割り当てられ、各送信区間の先頭に、前記サーバ装置が出力可能な最大の強度の基準光が送信されており、前記接続情報取得部は、前記基準光と、その後に続く光信号の強度との割合から、各送信区間の解像度を割り出すとよい。【００１７】
好ましくは、クライアント装置において、前記接続情報取得部は、前記複数種類の接続情報の取得を試みる際に、一度復調した各接続情報が分割されたものである場合に、一旦各接続情報を保持しておき、全部揃ってから、これらを結合するとよい。【００１８】
好ましくは、クライアント装置において、前記複数種類の接続情報は、定期的、あるいは不定期に変更され、前記サービス享受部は、前記サービスの提供を受けている間に、前記接続情報取得部により所定の種類の接続情報を取得することができた場合に、サーバ装置へ、当該所定の種類の接続情報を伴う接続要求を、前記第２の通信機能によって送信するとよい。【００１９】
また上記課題を解決するために、本発明の通信システムは、サーバ装置とクライアント装置とによって構成され、サーバ装置からクライアント装置へ、サービスが提供される通信システムであって、前記サーバ装置は、情報管理部、光信号送信部、及びサービス提供部を備え、前記クライアント装置は、接続情報取得部、及びサービス享受部を備える。
情報管理部は、前記サーバ装置が提供するサービスに接続する際に必要な、重要度の異なる複数種類の接続情報を、重要度と関連付けて格納し管理する。光信号送信部は、情報管理部に格納された複数種類の接続情報を、より高い重要度と関連付けて格納されている接続情報ほど、光の強弱の変化をより小さく取った光信号に変調して、第１の通信機能により、当該光信号を送信する。サービス提供部は、前記クライアント装置から、前記第１の通信機能とは異なる第２の通信機能によって、前記複数種類の接続情報のうちの、所定の種類の接続情報を伴う接続要求がなされた場合に、前記接続情報を用いて、当該クライアント装置に対する前記サービスを提供するための自動認証を行う自動認証機能を有する。接続情報取得部は、前記サーバ装置が備える光信号送信部により出力された光信号を、前記第１の通信機能により受光して、受光した光信号を復調して、前記複数種類の接続情報の取得を試みる。サービス享受部は、前記接続情報取得部により所定の種類の接続情報を取得することができた場合に、サーバ装置へ、当該所定の種類の接続情報を伴う接続要求を、前記第２の通信機能によって送信することにより、前記サービスの提供を受ける。【００２０】
また上記課題を解決するために、本発明のサーバ制御用集積回路は、クライアント装置にサービスを提供するサーバ装置に用いられるサーバ制御用集積回路であって、情報管理部、光信号送信部、及びサービス提供部として機能する回路を集積する。情報管理部は、前記サーバ装置が提供するサービスに接続する際に必要な、重要度の異なる複数種類の接続情報を、重要度と関連付けて管理する。光信号送信部は、情報管理部により管理された複数種類の接続情報を、より高い重要度と関連付けて格納されている接続情報ほど、光の強弱の変化をより小さく取った光信号に変調して、第１の通信機能により、当該光信号を送信する。サービス提供部は、前記クライアント装置から、前記第１の通信機能とは異なる第２の通信機能によって、前記複数種類の接続情報のうちの、所定の種類の接続情報を伴う接続要求がなされた場合に、前記接続情報を用いて、当該クライアント装置に対する前記サービスを提供するための自動認証を行う自動認証機能を有する。【００２１】
また上記課題を解決するために、本発明のクライアント制御用集積回路は、サーバ装置からサービスの提供を受けるクライアント装置に用いられるクライアント制御用集積回路であって、接続情報取得部、及びサービス享受部として機能する回路を集積する。接続情報取得部は、前記サーバ装置により、当該サーバ装置が提供するサービスに接続する際に必要な、重要度の異なる複数種類の接続情報が、より高い重要度と関連付けている接続情報ほど、光の強弱の変化がより小さくなるように変調された光信号を、第１の通信機能により受光して、受光した光信号を復調して、前記複数種類の接続情報の取得を試みる。サービス享受部は、前記接続情報取得部により所定の種類の接続情報を取得することができた場合に、前記サーバ装置へ、当該所定の種類の接続情報を伴う接続要求を、前記第１の通信機能とは異なる第２の通信機能によって送信することにより、前記サービスの提供を受ける。【００２２】
また上記課題を解決するために、本発明のサーバプログラムは、クライアント装置にサービスを提供するサーバ装置により実行されるサーバプログラムであって、前記サーバ装置に、情報管理ステップ、光信号送信ステップ、及びサービス提供ステップを実行させることを特徴とする。情報管理ステップは、前記サーバ装置が提供するサービスに接続する際に必要な、重要度の異なる複数種類の接続情報を、重要度と関連付けて管理する。光信号送信ステップは、情報管理ステップにより管理された複数種類の接続情報を、より高い重要度と関連付けて格納されている接続情報ほど、光の強弱の変化をより小さく取った光信号に変調して、第１の通信機能により、当該光信号を送信する。サービス提供ステップは、前記クライアント装置から、前記第１の通信機能とは異なる第２の通信機能によって、前記複数種類の接続情報のうちの、所定の種類の接続情報を伴う接続要求がなされた場合に、前記接続情報を用いて、当該クライアント装置に対する前記サービスを提供するための自動認証を行う自動認証機能を有する。【００２３】
また上記課題を解決するために、本発明のクライアントプログラムは、サーバ装置からサービスの提供を受けるクライアント装置により実行されるクライアントプログラムであって、前記クライアント装置に、接続情報取得ステップ、及びサービス享受ステップを実行させることを特徴とする。接続情報取得ステップは、前記サーバ装置により、当該サーバ装置が提供するサービスに接続する際に必要な、重要度の異なる複数種類の接続情報が、より高い重要度と関連付けている接続情報ほど、光の強弱の変化がより小さくなるように変調された光信号を、第１の通信機能により受光して、受光した光信号を復調して、前記複数種類の接続情報の取得を試みる。サービス享受ステップは、前記接続情報取得ステップにより所定の種類の接続情報を取得することができた場合に、前記サーバ装置へ、当該所定の種類の接続情報を伴う接続要求を、前記第１の通信機能とは異なる第２の通信機能によって送信することにより、前記サービスの提供を受ける。【００２４】
また上記課題を解決するために、本発明のクライアント装置への接続方法は、クライアント装置にサービスを提供するサーバ装置により実行されるクライアント装置への接続方法であって、情報管理ステップ、光信号送信ステップ、及びサービス提供ステップを含む。情報管理ステップは、前記サーバ装置が提供するサービスに接続する際に必要な、重要度の異なる複数種類の接続情報を、重要度と関連付けて管理する。光信号送信ステップは、情報管理ステップにより管理された複数種類の接続情報を、より高い重要度と関連付けて格納されている接続情報ほど、光の強弱の変化をより小さく取った光信号に変調して、第１の通信機能により、当該光信号を送信する。サービス提供ステップは、前記クライアント装置から、前記第１の通信機能とは異なる第２の通信機能によって、前記複数種類の接続情報のうちの、所定の種類の接続情報を伴う接続要求がなされた場合に、前記接続情報を用いて、当該クライアント装置に対する前記サービスを提供するための自動認証を行う自動認証機能を有する。【００２５】
また上記課題を解決するために、本発明のサーバ装置への接続方法は、サーバ装置からサービスの提供を受けるクライアント装置により実行されるサーバ装置への接続方法であって、接続情報取得ステップ、及びサービス享受ステップを含む。接続情報取得ステップは、前記サーバ装置により、当該サーバ装置が提供するサービスに接続する際に必要な、重要度の異なる複数種類の接続情報が、より高い重要度と関連付けている接続情報ほど、光の強弱の変化がより小さくなるように変調された光信号を、第１の通信機能により受光して、受光した光信号を復調して、前記複数種類の接続情報の取得を試みる。サービス享受ステップは、前記接続情報取得ステップにより所定の種類の接続情報を取得することができた場合に、前記サーバ装置へ、当該所定の種類の接続情報を伴う接続要求を、前記第１の通信機能とは異なる第２の通信機能によって送信することにより、前記サービスの提供を受ける。【００２６】
また上記課題を解決するために、本発明の通信システム接続方法は、サーバ装置とクライアント装置とによって構成され、サーバ装置からクライアント装置へ、サービスが提供される通信システム接続方法であって、情報管理ステップ、光信号送信ステップ、サービス提供ステップ、接続情報取得ステップ、及びサービス享受ステップを含む。情報管理ステップは、前記サーバ装置において、自身が提供するサービスに接続する際に必要な、重要度の異なる複数種類の接続情報を、重要度と関連付けて管理する。光信号送信ステップは、前記サーバ装置において、情報管理ステップにより管理された複数種類の接続情報を、より高い重要度と関連付けて格納されている接続情報ほど、光の強弱の変化をより小さく取った光信号に変調して、第１の通信機能により、当該光信号を送信する。サービス提供ステップは、前記サーバ装置において、前記クライアント装置から、前記第１の通信機能とは異なる第２の通信機能によって、前記複数種類の接続情報のうちの、所定の種類の接続情報を伴う接続要求がなされた場合に、前記接続情報を用いて、当該クライアント装置に対する前記サービスを提供するための自動認証を行う自動認証機能を有する。接続情報取得ステップは、前記クライアント装置において、前記サーバ装置が備える光信号送信部により出力された光信号を、前記第１の通信機能により受光して、受光した光信号を復調して、前記複数種類の接続情報の取得を試みる。サービス享受ステップは、前記クライアント装置において、前記接続情報取得ステップにより所定の種類の接続情報を取得することができた場合に、前記サーバ装置へ、当該所定の種類の接続情報を伴う接続要求を、前記第２の通信機能によって送信することにより、前記サービスの提供を受ける。
【発明の効果】
【００２７】
以上のように、本発明においては、サーバ装置とクライアント装置の距離に応じて、クライアント装置が取得することができる接続情報の種類を、接続情報の重要度別に変えることができるため、高性能な端末実装を必要とせずに、機器間の距離に応じてセキュリティの強度を変えることができる。
また、複数種類の認証情報をそれぞれ分割して送信することにより、クライアント装置が全ての認証情報を受信するまでの間サーバ装置に近づいている場合にのみ、自動認証を受けることができるため、セキュリティを向上させることができる。
また、複数種類の接続情報を更新することにより、サーバ装置とクライアント装置とが常に一定の距離以内にあり、光無線通信により認証情報の取得が可能な状況の時にだけ、無線ＬＡＮを経由したサーバ装置の提供するサービスを受けることができるので、セキュリティを向上させることができる。
【図面の簡単な説明】
【００２８】
【図１】図１は、第１の実施形態における通信システム１の構成を示す図である。
【図２】図２は、接続情報管理部１１０に保持され管理されている接続情報の一例を示す図である。
【図３】図３は、解像度別光送信制御部１２１により出力される光信号の概要を示す図である。
【図４】図４は、サーバ装置１００とクライアント装置２００との距離がある程度離れているときの、接続情報取得部２１０に受信される光信号の概要を示す図である。
【図５】図５は、サーバ装置１００が、接続情報を生成して送信し、接続要求情報を受信し、サービスを提供するまでの一連の処理の流れを示す図である。
【図６】図６は、クライアント装置２００が、接続情報を受信し、接続要求情報を生成して送信し、サービスの提供を受けるまでの一連の処理の流れを示す図である。
【図７】図７は、第２の実施形態における通信システム２の構成を示す図である。
【図８】図８は、第２の実施形態のサーバ装置３００から出力される光信号の概要を示す図である。
【図９】図９は、第１の変形例の概要を示す図である。
【図１０】図１０は、上記各実施形態、及び変形例に共通する技術的特徴を有するサーバ装置の概略を示す図である。
【図１１】図１１は、上記各実施形態、及び変形例に共通する技術的特徴を有するクライアント装置の概略を示す図である。
【図１２】図１２は、上記各実施形態、及び変形例に共通する技術的特徴を有する通信システムの概略を示す図である。
【図１３】図１３は、上記各実施形態、及び変形例に共通する技術的特徴を有するサーバ制御用集積回路の概略を示す図である。
【図１４】図１４は、上記各実施形態、及び変形例に共通する技術的特徴を有するクライアント制御用集積回路の概略を示す図である。
【図１５】図１５は、上記各実施形態、及び変形例に共通する技術的特徴を有するサーバプログラムの概略を示す図である。
【図１６】図１６は、上記各実施形態、及び変形例に共通する技術的特徴を有するクライアントプログラムの概略を示す図である。
【図１７】図１７は、上記各実施形態、及び変形例に共通する技術的特徴を有するクライアント装置への接続方法の概略を示す図である。
【図１８】図１８は、上記各実施形態、及び変形例に共通する技術的特徴を有するサーバ装置への接続方法の概略を示す図である。
【図１９】図１９は、上記各実施形態、及び変形例に共通する技術的特徴を有する通信システムにおける接続方法の概略を示す図である。
【発明を実施するための形態】
【００２９】
［第１の実施形態］
＜概要＞
第１の実施形態は、距離によって光の強度が減衰することを利用して、サーバ装置が、優先度の違う情報を光の強弱の変化量を異ならせた光信号に変調して出力することにより、優先度が高い認証情報等を、距離が近いクライアント装置のみが受信できるようにし、クライアント装置が、受信できた情報を用いて、別の通信機能を用いてサーバ装置にアクセスすることにより、距離が近いクライアント装置は認証情報を準備しなくてもサービスの提供を受ける事ができ、距離が遠いクライアント装置は認証操作をしなければサービスの提供を受けられないようにしたものである。これにより、高性能な端末実装を必要とせずに、セキュリティを担保しつつ、ユーザの利便性を向上させることができる。
【００３０】
＜構成＞
図１は、第１の実施形態における通信システム１の構成を示す図である。
図１に示す通信システム１は、１台もしくは複数台のサーバ装置１００、及び１台もしくは複数台のクライアント装置２００から構成されている。
サーバ装置１００は、例えばコンテンツをネットワーク越しに配信するようなサービスを提供するコンピュータ等の装置であり、２つの異なる通信機能を用いて外部機器と通信する。サーバ装置１００における第１の通信機能は光無線による送信機能であり、第２の通信機能は無線ＬＡＮによる送受信機能である。また、サーバ装置は、無線ＬＡＮによって、ＩＰ（Ｉｎｔｅｒｎｅｔ  Ｐｒｏｔｏｃｏｌ）を用いた通信網に接続されている。
【００３１】
クライアント装置２００は、サーバ装置１００から各種サービスの提供を受けることができる機器であり、サーバ装置１００と同様に、２つの異なる通信機能を用いて外部機器と通信する。クライアント装置２００における第１の通信機能は光無線による受信機能であり、第２の通信機能は無線ＬＡＮによる送受信機能である。
ここで、サーバ装置１００は、接続情報管理部１１０、光信号送信部１２０、サービス提供部１３０を備える。
接続情報管理部１１０は、サーバ装置１００が提供するサービスに接続する際に必要な、重要度の異なる複数種類の接続情報を、重要度と関連付けて格納し管理している。
図２は、接続情報管理部１１０に保持され管理されている接続情報の一例を示す図である。
【００３２】
図２に示す複数種類の接続情報は、機器情報、アドレス情報、及び認証情報のそれぞれ重要度が異なる３つの種類からなる。機器情報とアドレス情報は、接続対象のサーバ装置を特定する為に必要な接続先特定情報である。機器情報はユーザが任意につけたサーバ名であり、ここでは「サーバＡ」という名前になっており、重要度「低」と関連付けて格納される。アドレス情報は、サーバ装置１００のＩＰアドレスと、提供するサービスのアドレスを示す情報であり、ここでは「ｈｔｔｐ：／／１９２．１６８．１０．３：９０００／ｓｅｒｖｉｃｅ．ｃｇｉ」というＨＴＴＰ（ＨｙｐｅｒＴｅｘｔ  Ｔｒａｎｓｆｅｒ  Ｐｒｏｔｏｃｌ）プロトコルを用いたサーバ側サービスのアドレスになっており、重要度「中」と関連付けて格納される。ここでサーバ装置１００は、Ｗｅｂサーバ機能やコンテンツ配信機能のようなサービスを、ＨＴＴＰプロトコルを用いた接続形態により提供する機能を有している。なお、サービスの内容については、第２の通信機能を用いて提供可能なサービスであれば、どの様なものであってもよい。
認証情報は、サーバ装置１００が提供するサービスに接続する為に必要なＩＤ（識別子）とパスワードであり、ここでは「ＩＤ：７７１１、パスワード：ｐａｓ７７１１」になっており、認証情報が洩れると誰でもサービスへの接続ができてしまうことになり、機密性が高い情報なので、特に重要度「高」とし、最も高い重要度と関連付けて格納される。
【００３３】
なお、図２では、重要度を３段階とし、３種類の接続情報の例を示したが、重要度の段階は何段であってもよく、接続情報の種類も何種類であってもよいし、また、認証情報はある程度高い重要度と関連付けられていなければならないが、必ずしも最も高い重要度でなくてもよい。
光信号送信部１２０は、解像度別光送信制御部１２１、及び発光素子１２２からなり、解像度別光送信制御部１２１が、接続情報管理部１１０に格納された複数種類の接続情報を、解像度別のデータ変調方式に基づいて、より高い重要度と関連付けて格納されている接続情報ほど、光の強弱の変化をより小さく取った光信号に変調し、発光素子１２２が第１の通信機能によって、ここで変調した光信号を送信する。ここで発光素子１２２は、例えば発光ダイオードであり、解像度別光送信制御部１２１によって駆動される。
【００３４】
一般的に光無線技術においては、ＡＭ変調（Ａｍｐｌｉｔｕｄｅ  Ｍｏｄｕｌａｔｉｏｎ）技術を用い、光の強度を一定の周期で変更することによってデジタル情報を送信する。
図３は、解像度別光送信制御部１２１により、従来と同様にＡＭ変調技術を用いて変調されて出力される光信号の概要を示す図である。図３において縦軸は光の強度であり、横軸は時間である。
図３においては、図２に示したような重要度の低い接続情報からそれぞれ順番に、低解像度区間１０、中解像度区間２０、高解像度区間３０の３つの送信区間に分けて、光信号が出力されている。ここでは送信区間を３つに分けたが、重要度の段階の段数に応じて送信区間の数は決まるので、重要度の異なる複数種類の接続情報毎に、送信区間を割り当てることになる。
【００３５】
図３中の低解像度区間１０では、最初に出力可能な最大の強度を持った、基準光となる光出力１１を送信し、その後に、低解像度用の、例えば図２に示した重要度「低」と関連付けられた機器情報に、光の強度の変化を大きく取った低解像度変調を施した光出力１２を送信する。次の中解像度区間２０では、同様に最初に出力可能な最大の強度を持った基準となる光出力２１を送信し、その後に、中解像度用の、例えば図２に示した重要度「中」と関連付けられたアドレス情報に、光の強度の変化を中庸に取った中解像度変調を施した光出力２２を送信する。次の高解像度区間３０では、同様に最初に出力可能な最大の強度を持った基準となる光出力３１を送信し、その後に、高解像度用の、例えば図２に示した重要度「高」と関連付けられた認証情報に、光の強度の変化を小さく取った高解像度変調を施した光出力３２を送信する。
【００３６】
なお、必ずしも各解像度区間の最初に基準光を送信しなくてもよい。また、各解像度区間にヘッダを持たせ、このヘッダの部分に、重要度や解像度等の区間情報を付加してもよい。
このようにして、第１の実施形態のサーバ装置１００は、重要度の異なる複数種類の接続情報を、重要度毎の送信区間に分けて、それぞれ解像度の異なる変調を行い送信することができる。
また解像度別光送信制御部１２１は、電源起動等によって無線ＬＡＮ通信部が通信可能状態となった時等の、予め決めておいた状態への変更をモニタすることにより、サービスを提供できる状態になったことを検知し、低解像度区間１０、中解像度区間２０、及び高解像度区間３０の順に、予め決められた周期で繰り返し送信する。
【００３７】
サービス提供部１３０は、ＬＡＮ通信部１３１、接続管理部１３２、及び認証処理部１３３からなり、正統であると認証したクライアント装置２００に対して、所定のサービスを提供する。
ＬＡＮ通信部１３１は、一般的な無線ＬＡＮによる送受信機能を備え、無線ＬＡＮのＰＨＹ層（Ｐｈｙｓｉｃａｌ  Ｌａｙｅｒ）とＭＡＣ層（Ｍｅｄｉａ  Ａｃｃｅｓｓ  Ｃｏｎｔｒｏｌ  Ｌａｙｅｒ）との処理を行う通信デバイスであり、任意のクライアント装置２００との間で無線ＬＡＮを経由してデータを送受信する。
【００３８】
接続管理部１３２は、無線ＬＡＮ通信部１３１により任意のクライアント装置２００から受信されたデータが、自端末の提供するサービスへの接続要求であるか否かを判断し、当該接続要求でない場合には、データを破棄する。当該接続要求である場合には、さらに、当該接続要求が認証情報を伴うものであるか否かを判断する。認証情報を伴うものである場合には、当該認証情報を用いてクライアント装置２００に対するサービスを提供するための自動認証を行わせるために、当該認証情報を認証処理部１３３に渡して認証の確認をさせ、認証情報を伴うものでない場合には、ユーザによる認証操作を受け付ける。
【００３９】
ここで、接続要求は、例えばＨＴＴＰプロトコルを用いた一般的なＧＥＴ（ＨＴＴＰにおけるサービスを要求するリクエストの一つ）などのリクエストであり、ＨＴＴＰヘッダ情報の中にＩＤ、パスワードなどを追加することで、認証情報を接続要求に載せることができる。なお、接続要求は、ＨＴＴＰに限らず、ＳＯＡＰなど、第２の通信機能を用いて利用可能な通信プロトコルであれば何であってもよい。
認証処理部１３３は、接続要求に含まれる認証情報、又は、ユーザによる認証操作により受け付けられた認証情報と、接続情報管理部１１０に保持され管理されている認証情報とを比較し、一致すれば認証が成功した旨を、一致しなければ認証が失敗した旨を接続管理部１３２に通知する。
接続管理部１３２は、認証処理部１３３から認証が成功した旨の通知を受けると、クライアント装置２００へサービスを提供し、失敗した旨の通知を受けると、クライアント装置２００に対して失敗した旨を通知する。
【００４０】
クライアント装置２００は、接続情報取得部２１０、サービス享受部２２０を備える。
接続情報取得部２１０は、受光素子２１１、及び解像度別光受信制御部２１２からなり、受光素子２１１が、光無線技術により変調処理された光信号を受信し、これを電気信号に変換し、解像度別光受信制御部２１２が、ここで得た電気信号の強弱から対象となる解像度区間を割り出し、解像度区間別に、この電気信号を復調して複数種類の接続情報の取得を試みる。ここで受光素子２１１は、例えばフォトダイオードである。
ここで、各解像度区間には、それぞれ最初にサーバ装置１００が出力可能な最大の強度を持った基準光が送信されているので、その後に続く光信号の強度との割合から、解像度区間の解像度を割り出すことができる。
なお、各解像度区間の最初に基準光が送信されていない場合には、例えば受信順序や個数から、重要度や解像度等の区間情報を得ることもできる。また、各解像度区間のヘッダの部分に、重要度や解像度等の区間情報が付加されていれば、ヘッダの部分から重要度や解像度等を得ることもできる。
サービス享受部２２０は、ユーザ確認部２２１、接続要求部２２２、ＬＡＮ通信部２２３からなり、サーバ装置１００から正当であると認証されると、所定のサービスの提供を受けることができる。
【００４１】
ユーザ確認部２２１は、以前に取得された複数種類の接続情報を記憶しており、定期的、あるいは不定期に、解像度別光受信制御部２１２により取得された複数種類の接続情報と比較して、情報の更新が為されていないかを判断し、情報の更新が為されている場合と、新規の情報を取得した場合に、サービスの提供の要否をユーザに確認し、接続する確認が取れた場合に、その旨を接続要求部２２２へ通知する。
なお、ユーザ確認部２２１は必ずしも必要ではなく、ユーザにサービスの提供の要否を確認することなく、必ずサービスの提供を要することにしてもよい。また、ユーザ確認部２２１において、サービスの提供の要否をユーザに確認するのではなく、サービスの提供の要否をユーザが予め設定しておき、この設定を確認してもよい。
【００４２】
接続要求部２２２は、ユーザ確認部２２１により接続する旨が通知されると、解像度別光受信制御部２１２により取得された接続情報に基づいて、接続要求情報を生成して対象となるサーバに送信する。
ここで、サーバ装置１００とクライアント装置２００との距離が、さほど離れていないときには、全ての種類の接続情報が取得されるので、接続要求部２２２は、高解像度区間３０において取得された認証情報を伴う接続要求情報を生成して、低解像度区間１０、及び中解像度区間２０において取得された機器情報、及びアドレス情報に基づいて特定されるサーバ装置１００に向けて送信することができる。
ＬＡＮ通信部２２３は、ＬＡＮ通信部１３１と同様に、一般的な無線ＬＡＮによる送受信機能を備え、無線ＬＡＮのＰＨＹ層とＭＡＣ層との処理を行う通信デバイスであり、任意のサーバ装置１００との間で無線ＬＡＮを経由してデータを送受信する。
【００４３】
一方、サーバ装置１００とクライアント装置２００との距離が、十分に離れているときには、全く接続情報が取得されないので、クライアント装置２００には送信先がわからない。そこで、ユーザが別途サーバ装置１００を特定する情報の全てをクライアント装置２００に入力するなどしなければ、クライアント装置２００は接続要求情報を送信することができない。
また、サーバ装置１００とクライアント装置２００との距離が、ある程度離れているときには、低解像度区間１０のみにおいて情報が取得されたり、低解像度区間１０、及び中解像度区間２０のみにおいて情報が取得されたりする。
【００４４】
低解像度区間１０のみにおいて情報が取得されると、クライアント装置２００は機器情報のみを知ることができ、これをモニタ等に教示して、ユーザに対してサービスのアドレス情報の入力を即すことができる。
低解像度区間１０、及び中解像度区間２０のみにおいて情報が取得されると、接続要求部２２２は、認証情報を伴わない接続要求情報を生成して、低解像度区間１０、及び中解像度区間２０において取得された機器情報、及びアドレス情報に基づいて特定されるサーバ装置１００に向けて送信することができる。
【００４５】
図４は、サーバ装置１００とクライアント装置２００との距離が、ある程度離れているときの、接続情報取得部２１０に受信される光信号の概要を示す図である。
光の強度が全体的に弱くなり、情報部分の光の強弱の変化が、受信側許容解像度よりも小さくなってしまうと、情報を読み出せなくなる。図４の例では、高解像度区間の情報が取得できなくなっている。
【００４６】
＜動作＞
図５は、サーバ装置１００が、接続情報を生成して送信し、接続要求情報を受信し、サービスを提供するまでの一連の処理の流れを示す図である。
（１）解像度別光送信制御部１２１が、接続情報管理部１１０から、重要度が低い順に接続情報を抽出する（ステップＳ１）。ここで重要度が最も高い接続情報を抽出した後は、再び重要度が最も低い接続情報から抽出を始める。
（２）抽出した接続情報に、重要度に見合った解像度の変調を施す（ステップＳ２）。
（３）区間の先頭に、出力可能な最大の強度を持った基準となる光出力を送信する（ステップＳ３）。
【００４７】
（４）変調を施した光出力を送信する（ステップＳ４）。
（５）重要度が最も高い接続情報までの処理が一通り終わったかを判断する（ステップＳ５）。一通り終わっていない場合には（ステップＳ５：ＮＯ）、次の重要度の区間を処理するために最初に戻る。
（６）一通り終わった場合には（ステップＳ５：ＹＥＳ）、接続管理部１３２が、自端末の提供するサービスへの接続要求が受信されているか否かを判断する（ステップＳ６）。受信していない場合には（ステップＳ６：ＮＯ）、最初に戻る。
【００４８】
（７）受信している場合には（ステップＳ６：ＹＥＳ）、さらに、当該接続要求が認証情報を伴うものであるか否かを判断する（ステップＳ７）。
（８）認証情報を伴うものである場合には（ステップＳ７：ＹＥＳ）、当該認証情報を認証処理部に渡す（ステップＳ８）。
（９）認証情報を伴うものでない場合には（ステップＳ７：ＮＯ）、クライアントから認証情報を受信する（ステップＳ９）。サーバ装置１００は、クライアント装置２００に認証情報を要求し、この要求に対するクライアント装置２００からの応答として、クライアント装置２００から認証情報を受信する。
【００４９】
（１０）認証処理部１３３が、接続要求に含まれる認証情報、又は、ユーザによる認証操作により受け付けられた認証情報と、接続情報管理部１１０に保持され管理されている認証情報とを比較し、一致するか否かを判断する（ステップＳ１０）。
（１１）一致した場合には（ステップＳ１０：ＹＥＳ）、接続管理部１３２がクライアント装置２００へサービスを提供する（ステップＳ１１）。
（１２）一致しない場合には（ステップＳ１０：ＮＯ）、接続管理部１３２がクライアント装置２００に対して失敗した旨を通知し、最初に戻る。（ステップＳ１２）。
なお、ステップＳ１１の後ステップＳ１から繰り返すことで接続情報の送信及びサービスの提供が継続できる。
【００５０】
図６は、クライアント装置２００が、定期的、あるいは不定期に接続情報を受信し、接続要求情報を生成して送信し、サービスの提供を受けるまでの一連の処理の流れを示す図である。
（１）受光素子２１１が、光無線技術により変調処理された光信号を受信し、これを電気信号に変換する（ステップＳ１０１）。
（２）解像度別光受信制御部２１２が、ステップＳ１０１で得た電気信号から基準光に相当する基準信号を見付けるまで待つ（ステップＳ１０２）。
（３）基準信号が見付かった場合に（ステップＳ１０２：ＹＥＳ）、解像度別光受信制御部２１２が、その後の受光パターンを確認し、解像度区間強度が基準信号の５０％以上の場合には低解像度区間と判断し、解像度区間強度が基準信号の２０％〜５０％の範囲である場合には中解像度区間と判断し、解像度区間強度が基準信号の２０％以下の場合には高解像度区間と判断して、解像度区間種別を分類する（ステップＳ１０３）。
【００５１】
（４）低解像度区間と判断した場合には、基準光の強度の５０％から１００％の間の変化を解析して接続情報を取り出す。解像度の限界を超えている等により情報が取得できない場合は、低解像度区間において取得できなかったという情報を返す（ステップＳ１０４）。
（５）中解像度区間と判断した場合には、基準光の強度の２０％から５０％の間の変化を解析して接続情報を取り出す。解像度の限界を超えている等により情報が取得できない場合は、中解像度区間において取得できなかったという情報を返す（ステップＳ１０５）。
（６）高解像度区間と判断した場合には、基準光の強度の０％から２０％の間の変化を解析して接続情報を取り出す。解像度の限界を超えている等により情報が取得できない場合は、高解像度区間において取得できなかったという情報を返す（ステップＳ１０６）。
【００５２】
（７）全ての接続情報の取得を試みたか否かを判断する（ステップＳ１０７）。
（８）全ての接続情報の取得を試みた場合には（ステップＳ１０７：ＹＥＳ）、低解像度区間の接続情報の取得ができたか否かを判断する（ステップＳ１０８）。低解像度区間の接続情報の取得ができなかった場合には、今回の受信に関する情報をクリアして、最初に戻る。
（９）低解像度区間の接続情報の取得ができた場合には（ステップＳ１０８：ＹＥＳ）、中解像度区間の接続情報の取得ができたか否かを判断する（ステップＳ１０９）。
【００５３】
（１０）中解像度区間の接続情報の取得ができなかった場合には（ステップＳ１０９：ＮＯ）、低解像度区間の接続情報である機器情報をモニタ等に教示して、アドレス情報の入力を受け付ける（ステップＳ１１０）。
（１１）アドレス情報が入力されたか、キャンセルされたかを判断する（ステップＳ１１１）。キャンセルされた場合には、処理を終了する。
（１２）中解像度区間の接続情報の取得ができた場合には（ステップＳ１０９：ＹＥＳ）、高解像度区間の接続情報の取得ができたか否かを判断する（ステップＳ１１２）。
【００５４】
（１３）高解像度区間の接続情報の取得ができなかった場合（ステップＳ１１２：ＮＯ）、又は、アドレス情報が入力された場合には、認証情報を伴わない接続要求情報を生成して、低解像度区間の接続情報である機器情報と、中解像度区間の接続情報であるアドレス情報か、又は入力されたアドレス情報に基づいて特定されるサーバ装置１００に向けて送信し、ユーザによる認証操作を開始する（ステップＳ１１３）。
（１４）認証情報が入力されたか、キャンセルされたかを判断する（ステップＳ１１４）。キャンセルされた場合には、処理を終了する。
（１５）認証情報が入力された場合には、入力された認証情報をサーバ装置１００に向けて送信する（ステップＳ１１５）。
【００５５】
（１６）高解像度区間の接続情報の取得ができた場合には（ステップＳ１１２：ＹＥＳ）、ユーザ確認部２２１が、以前に取得された接続情報と、今回得られた接続情報と比較して、情報の更新が為されていないか、又は新規の情報を取得したかを判断する（ステップＳ１１６）。
（１７）情報の更新が為されているか、又は新規の情報を取得した場合には（ステップＳ１１６：ＹＥＳ）、サービスの提供の要否をユーザに確認する（ステップＳ１１７）。
【００５６】
（１８）サービスの提供を要する場合には（ステップＳ１１７：ＹＥＳ）、高解像度区間の接続情報である認証情報を伴う接続要求情報を生成して、低解像度区間の接続情報である機器情報、及び中解像度区間の接続情報であるアドレス情報に基づいて特定されるサーバ装置１００に向けて送信する（ステップＳ１１８）。
（１９）サーバ装置１００から、認証に失敗した旨の通知が来るまで待つ（ステップＳ１１９）。
【００５７】
（２０）認証に失敗した旨の通知されると（ステップＳ１１９：ＹＥＳ）、その旨をモニタ等に表示して処理を終了する（ステップＳ１２０）。
（２１）サーバ装置１００から、サービスが提供されるまで待つ。サービスが提供されると処理を終了する（ステップＳ１２１）。
【００５８】
＜まとめ＞
このようにして、サーバ装置１００とクライアント装置２００の距離に応じて、クライアント装置２００が取得することができる接続情報の種類を、接続情報の重要度別に変えることができるため、高性能な端末実装を必要とせずに、機器間の距離に応じてセキュリティの強度を変えることができる。
【００５９】
［第２の実施形態］
＜概要＞
第２の実施形態は、複数種類の接続情報をそれぞれ分割し、分割した情報を時間をずらして送信することによって、サーバ装置とクライアント装置の距離が所定時間以上一定の距離以内でないとサービスを提供しないよう制御して、セキュリティを向上させるものである。
【００６０】
＜構成＞
図７は、第２の実施形態における通信システム２の構成を示す図である。ここで、図１に示した第１の実施形態の通信システム１と同様構成要素には同じ番号を付し、その説明を省略する。
図７に示す通信システム２は、１台もしくは複数台のサーバ装置３００、及び１台もしくは複数台のクライアント装置４００から構成されている。
【００６１】
サーバ装置３００は図１のサーバ装置１００において光信号送信部１２０が光信号送信部３２０に置き換わり、光信号送信部３２０は図１の光信号送信部１２０に認証分割部３２３が追加されたものである。
認証分割部３２３は、光信号送信部３２０が接続情報管理部１１０から、複数種類の接続情報を取得する際に、接続情報管理部１１０から得たそれぞれの接続情報を分割して、時間をずらして解像度別光送信制御部１２１へ渡して送信させる。ここでは、３種類の接続情報をそれぞれ前後半分ずつに２分割して、３種類の接続情報の前半部分と３種類の接続情報の後半部分とを交互に解像度別光送信制御部１２１へ渡して送信させることとする。なお、各接続情報にヘッダを持たせ、このヘッダの部分に、前半部分であるか、後半部分であるかの情報を付加して渡してもよい。
【００６２】
クライアント装置４００は、図１のクライアント装置２００において接続情報取得部２１０が接続情報取得部４１０に置き換わり、接続情報取得部４１０は図１の接続情報取得部２１０に、認証結合部４１３が追加されたものである。
認証結合部４１３は、解像度別光受信制御部２１２が複数種類の接続情報の取得を試みる際に、一度復調した各接続情報が分割されたものである場合に、一旦各接続情報を保持しておき、全部揃ってから、これらを結合して解像度別光受信制御部２１２に渡す。
【００６３】
図８は、第２の実施形態のサーバ装置３００から出力される光信号の概要を示す図である。図８において、横軸は時間である。
図８に示すように、サーバ装置３００が、接続情報Ｌを２分割した接続情報（前半）、及び接続情報（後半）を送信する間隔を制御することにより、クライアント装置４００が最低限近づいていなければならない時間を制御することができる。
【００６４】
＜まとめ＞
このようにして、サーバ装置３００が、複数種類の接続情報をそれぞれ分割して送信するので、クライアント装置４００が、全ての接続情報を受信するまでの間サーバ装置３００に近づいている場合にのみ、自動認証を受けることができる。
これにより、サーバ装置３００に短い時間だけ接近していたクライアント装置４００や、すれ違っただけのクライアント装置４００等に、認証情報を知られることがないので、セキュリティを向上させることができる。
【００６５】
［第１の変形例］
第２の実施形態では、認証情報を分割して時間をずらして送信することにより、セキュリティを向上させたが、第１の変形例では、サーバ装置が、認証情報を、定期的、あるいは不定期に変更して、変更するたびに第１の通信機能を用いて認証情報を送信し、クライアント装置から、任意の時間以内に所定の認証情報を伴う認証要求が来なかった場合に、サーバ装置側がサービスの提供を中止することによって、サーバ装置とクライアント装置との距離が常に一定の距離以内でないとサービスを提供しないように制御して、セキュリティを向上させるものである。
【００６６】
図９は、第１の変形例の概要を示す図である。ここで図中の機器Ａは上記サーバ装置３００に相当し、図中の機器Ｂは上記クライアント装置４００に相当する。また図中の光無線は上記第１の通信機能に相当し、図中の無線ＬＡＮは上記第２の通信機能に相当する。
図９において、まず機器Ａが、定期的、あるいは不定期に認証情報を更新したときに、変更された認証情報Ｌを光無線により機器Ｂへ送信する（Ｔ１）。機器Ｂは、光無線により認証情報Ｌを受信すると、無線ＬＡＮにより新しい認証情報Ｌを伴う認証要求Ｌを発行する（Ｔ２）。認証待ち時間（Ｔ３）より早く認証要求Ｌが機器Ａに受信されたので、ここではサービスの提供が継続される。
【００６７】
続いて、機器Ａが認証情報を更新したときに、更新された認証情報Ｍを光無線により機器Ｂへ送信する（Ｔ４）。機器Ｂは、光無線により認証情報Ｍを受信すると、無線ＬＡＮにより新しい認証情報Ｍを伴う認証要求Ｍを発行する（Ｔ５）。認証待ち時間（Ｔ６）より早く認証要求Ｍが機器Ａに受信されたので、ここでもサービスの提供が継続される。
続いて、機器Ａが認証情報を更新したときに、変更された認証情報Ｎを光無線により機器Ｂへ送信する（Ｔ７）。機器Ｂは、光無線により認証情報Ｎを受信しようとしたが、受信に失敗し、認証要求Ｎを発行することができなかった。認証待ち時間（Ｔ８）までに認証要求Ｎが機器Ａに受信されなかったので、ここではサービスの提供が中断され、機器Ａがその旨を示す通知を、無線ＬＡＮにより機器Ｂへ送信する（Ｔ９）。
【００６８】
このようにして、サーバ装置とクライアント装置とが常に一定の距離以内にあり、光無線通信により認証情報の取得が可能な状況の時にだけ、無線ＬＡＮを経由したサーバ装置の提供するサービスの提供を受けることができるので、セキュリティを向上させることができる。
【００６９】
なお、上述の実施形態は、記憶装置（ＲＯＭ、ＲＡＭ、ハードディスク等）に格納された上述の処理手順をＣＰＵに実行させることができるプログラムを、ＣＰＵに実行させることによっても実現できる。この場合、当該プログラムは、記録媒体を介して記憶装置内に格納された上で実行されてもよいし、記録媒体上から直接実行されてもよい。ここでの記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤ、ＢＤ等の光ディスク、メモリカード等の記録媒体をいう。また、記録媒体は、電話回線や搬送路等の通信媒体も含む概念である。
【００７０】
また、サーバ装置１００とクライアント装置２００内の各機能ブロック、及びサーバ装置３００とクライアント装置４００内の各機能ブロックは、ＬＳＩ等の集積回路として実現される。また、これらの各機能ブロックは、個別に１チップ化されても良いし、一部又は全てを含むように１チップ化されても良い。またここではＬＳＩとしたが、集積度の違いにより、ＩＣ、システムＬＳＩ、スーパーＬＳＩ、ウルトラＬＳＩと呼称されることもある。
【００７１】
また、集積回路化の手法はＬＳＩに限るものではなく、専用回路、又は汎用プロセッサで実現してもよい。例えば、ＬＳＩの製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギャラブル・プロセッサー等を利用しても良い。
さらには、半導体技術の進歩又は派生する別技術によりＬＳＩに置き換わる集積回路化の技術が登場すれば、当然ながら、そのような技術を用いて機能ブロックの集積化を行ってもよい。具体的にはバイオ技術の適応等が可能性として十分に考えられる。
【００７２】
本願の発明を含む通信システムは、Ｅｔｈｅｒｎｅｔインタフェース、ＩＥＥＥ１３９４インタフェース、ＵＳＢインタフェース等の信号インタフェースを電力線通信のインタフェースに変換するアダプタの形態を取ることによって、各種のインタフェースを有するパーソナルコンピュータ、ＤＶＤレコーダ、デジタルテレビ、及びホームサーバシステム等のマルチメディア機器に接続することができる。これによって、電力線を媒体としたマルチメディアデータ等のデジタルデータを高速伝送するネットワークシステムを構築することが可能となる。この結果、従来の有線ＬＡＮのようにネットワークケーブルを新たに敷設することなく、家庭、オフィス等に既に設置されている電力線をそのままネットワーク回線として利用できるので、コスト面、設置の容易性からその利便性は大きい。
【００７３】
また、将来的にはパーソナルコンピュータ、ＤＶＤレコーダ、デジタルテレビ、及びホームサーバシステム等のマルチメディア機器が本発明を含む機能を内蔵することにより、マルチメディア機器の電源コードを介して機器間のデータ伝送が可能になる。この場合、アダプタやＥｔｈｅｒｎｅｔケーブル、ＩＥＥＥ１３９４ケーブル、ＵＳＢケーブルなどが不要になり、配線が簡略化される。また、ルータを介してインターネットへの接続や、無線ＬＡＮや従来の有線ケーブルのＬＡＮにハブ等を用いて接続することができるので、本発明の拡張に何らの問題も生じない。
【００７４】
また、電力線伝送方式では、通信データが電力線を介して流されるため、無線ＬＡＮのように電波が傍受されてデータが漏洩するという問題が生じない。よって、電力線伝送方式は、セキュリティの面からのデータ保護にも効果を有する。もちろん、電力線を流れるデータは、例えばＩＰプロトコルにおけるＩＰｓｅｃ、コンテンツ自身の暗号化、その他のＤＲＭ（Ｄｉｇｉｔａｌ  Ｒｉｇｈｔｓ  Ｍａｎａｇｅｍｅｎｔ）方式等で保護される。
【００７５】
このように、コンテンツの暗号化による著作権保護機能や本発明の効果（スループットの向上、再送増加やトラフィック変動に柔軟に対応した帯域割り当て）を含めたＱｏＳ（
Ｑｕａｌｉｔｙ  ｏｆ  Ｓｅｒｖｉｃｅ）機能を実装することによって、電力線を用いた高品質なＡＶコンテンツの伝送が可能となる。
以上、本発明を詳細に説明してきたが、前述の説明はあらゆる点において本発明の例示にすぎず、その範囲を限定しようとするものではない。従って、本発明の範囲を逸脱することなく種々の改良や変形を行うことができる。
【００７６】
［技術的特徴の検討］
図１０は、上記各実施形態、及び変形例に共通する技術的特徴を有するサーバ装置の概略を示す図である。
図１０に示すサーバ装置５００は、第１の実施形態におけるサーバ装置１００、第２の実施形態におけるサーバ装置３００、及び第１の変形例における機器Ａに相当し、様々なクライアント装置にサービスを提供する。
サーバ装置５００は、情報管理部５１０、光信号送信部５２０、及びサービス提供部５３０を備える。
【００７７】
情報管理部５１０は、第１の実施形態、及び第２の実施形態における接続情報管理部１１０に相当し、サーバ装置が提供するサービスに接続する際に必要な、重要度の異なる複数種類の接続情報を、重要度と関連付けて格納し管理する。
光信号送信部５２０は、第１の実施形態における光信号送信部１２０、及び第２の実施形態における光信号送信部３２０に相当し、情報管理部５１０に格納された複数種類の接続情報を、より高い重要度と関連付けて格納されている接続情報ほど、光の強弱の変化をより小さく取った光信号に変調して、第１の通信機能により、当該光信号を送信する。ここで、第１の通信機能とは、例えば光無線のように指向性があり通信状態が環境により大きく変動する無線通信を行う機能を指す。
【００７８】
サービス提供部５３０は、第１の実施形態、及び第２の実施形態におけるサービス提供部１３０に相当し、クライアント装置から、第１の通信機能とは異なる第２の通信機能によって、複数種類の接続情報のうちの、所定の種類の接続情報を伴う接続要求がなされた場合に、接続情報を用いて、当該クライアント装置に対するサービスを提供するための自動認証を行う自動認証機能を有する。ここで、第２の通信機能とは、例えば無線ＬＡＮのように指向性があまりなく比較的通信状態が安定している無線又は有線の通信を行う機能を指す。
【００７９】
なお、サーバ装置５００における所定の種類の接続情報は、サービスを提供する際の認証に必要な認証情報であってもよい。ここでサービス提供部５３０は、クライアント装置から、第２の通信機能によって、認証情報を伴わない接続要求がなされた場合に、サービスを提供する前に、クライアント装置に認証情報を要求し、クライアント装置から認証情報を受信することもできる。
さらに、サーバ装置５００における複数種類の接続情報のうちの１つは、接続対象のサーバ装置を特定する為に必要な接続先特定情報であり、クライアント装置からの接続要求は、接続先特定情報に基づいて特定されたサーバ装置に向けてなされてもよい。ここで情報管理部は、認証情報を、接続先特定情報よりも高い重要度と関連付けて格納することもできる。
【００８０】
図１１は、上記各実施形態、及び変形例に共通する技術的特徴を有するクライアント装置の概略を示す図である。
図１１に示すクライアント装置６００は、第１の実施形態におけるクライアント装置２００、第２の実施形態におけるクライアント装置４００、及び第１の変形例における機器Ｂに相当し、様々なサーバ装置からサービスの提供を受ける。
クライアント装置６００は、接続情報取得部６１０、及びサービス享受部６２０を備える。
【００８１】
接続情報取得部６１０は、第１の実施形態における接続情報取得部２１０、及び第２の実施形態における接続情報取得部４１０に相当し、個々のサーバ装置が提供するサービスに接続する際に必要な、重要度の異なる複数種類の接続情報が、より高い重要度と関連付けている接続情報ほど、光の強弱の変化がより小さくなるように、個々のサーバ装置により変調された光信号を、第１の通信機能により受光して、受光した光信号を復調して、複数種類の接続情報の取得を試みる。
サービス享受部６２０は、第１の実施形態、及び第２の実施形態におけるサービス享受部２２０に相当し、接続情報取得部６１０により所定の種類の接続情報を取得することができた場合に、個々のサーバ装置へ、当該所定の種類の接続情報を伴う接続要求を、第２の通信機能によって送信することにより、サービスの提供を受ける。
【００８２】
なお、クライアント装置６００における所定の種類の接続情報は、サービスを提供する際の認証に必要な認証情報であってもよい。ここでサービス享受部６２０は、接続情報取得部６１０により接続先特定情報を取得することができ、認証情報を取得することができなかった場合に、当該認証情報を伴わない接続要求を、当該接続先特定情報に基づいて特定されたサーバ装置に向けて送信し、ユーザによる認証操作を行うことにより、サービスの提供を受ける。
【００８３】
さらに、クライアント装置６００における複数種類の接続情報のうちの１つは、接続対象のサーバ装置を特定する為に必要な接続先特定情報であり、認証情報は、接続先特定情報よりも高い重要度と関連付けられてもよい。このときサービス享受部６２０は、接続情報取得部により接続先特定情報と認証情報とを取得することができた場合に、当該認証情報を伴う接続要求を、当該接続先特定情報に基づいて特定されたサーバ装置に向けて送信することもできる。
【００８４】
図１２は、上記各実施形態、及び変形例に共通する技術的特徴を有する通信システムの概略を示す図である。
図１２に示す通信システム３は、第１の実施形態における通信システム１、及び第２の実施形態における通信システム２に相当し、サーバ装置５００とクライアント装置６００とによって構成され、サーバ装置５００からクライアント装置６００へ、サービスが提供される。
【００８５】
図１３は、上記各実施形態、及び変形例に共通する技術的特徴を有するサーバ制御用集積回路の概略を示す図である。
図１３に示すサーバ制御用集積回路７００は、クライアント装置６００にサービスを提供するサーバ装置５００に用いられる電子部品の１つである。
サーバ制御用集積回路７００は、情報管理部７１０、光信号送信部７２０、及びサービス提供部７３０を、半導体チップ上に集積する。
情報管理部７１０は、上記情報管理部５１０と同様の機能を有する集積回路の一部である。
光信号送信部７２０は、上記光信号送信部５２０と同様の機能を有する集積回路の一部である。
サービス提供部７３０は、上記サービス提供部５３０と同様の機能を有する集積回路の一部である。
【００８６】
図１４は、上記各実施形態、及び変形例に共通する技術的特徴を有するクライアント制御用集積回路の概略を示す図である。
図１４に示すクライアント制御用集積回路８００は、サーバ装置５００からサービスの提供を受けるクライアント装置６００に用いられる電子部品の１つである。
クライアント制御用集積回路８００は、接続情報取得部８１０、及びサービス享受部８２０を、半導体チップ上に集積する。
接続情報取得部８１０は、接続情報取得部６１０と同様の機能を有する集積回路の一部である。
サービス享受部８２０は、サービス享受部６２０と同様の機能を有する集積回路の一部である。
【００８７】
図１５は、上記各実施形態、及び変形例に共通する技術的特徴を有するサーバプログラムの概略を示す図である。
図１５に示すサーバプログラム９００は、記憶媒体Ｘに格納された処理手順を示す情報であり、クライアント装置６００にサービスを提供するサーバ装置５００により実行される。
サーバプログラム９００は、情報管理ステップ９１０と、光信号送信ステップ９２０と、サービス提供ステップ９３０とを含む。
サーバ装置５００は情報管理ステップ９１０を実行することによって、上記情報管理部５１０と同様の機能を発揮する。
サーバ装置５００は光信号送信ステップ９２０を実行することによって、上記光信号送信部５２０と同様の機能を発揮する。
サーバ装置５００はサービス提供ステップ９３０を実行することによって、上記サービス提供部５３０と同様の機能を発揮する。
【００８８】
図１６は、上記各実施形態、及び変形例に共通する技術的特徴を有するクライアントプログラムの概略を示す図である。
図１６に示すクライアントプログラム１０００は、記憶媒体Ｙに格納された処理手順を示す情報であり、サーバ装置５００からサービスの提供を受けるクライアント装置６００により実行される。
クライアントプログラム１０００は、接続情報取得ステップ１０１０と、サービス享受ステップ１０２０とを含む。
クライアント装置６００は接続情報取得ステップ１０１０を実行することによって、上記接続情報取得部６１０と同様の機能を発揮する。
クライアント装置６００はサービス享受ステップ１０２０を実行することによって、上記サービス享受部６２０と同様の機能を発揮する。
【００８９】
図１７は、上記各実施形態、及び変形例に共通する技術的特徴を有するクライアント装置への接続方法の概略を示す図である。
図１７に示すクライアント装置への接続方法１１００は、クライアント装置６００にサービスを提供するサーバ装置５００において行われる。
クライアント装置への接続方法１１００は、情報管理ステップ１１１０と、光信号送信ステップ１１２０と、サービス提供ステップ１１３０とを含む。
サーバ装置５００は情報管理ステップ１１１０を実行することによって、上記情報管理部５１０と同様の機能を発揮する。
サーバ装置５００は光信号送信ステップ１１２０を実行することによって、上記光信号送信部５２０と同様の機能を発揮する。
サーバ装置５００はサービス提供ステップ１１３０を実行することによって、上記サービス提供部５３０と同様の機能を発揮する。
【００９０】
図１８は、上記各実施形態、及び変形例に共通する技術的特徴を有するサーバ装置への接続方法の概略を示す図である。
図１８に示すサーバ装置への接続方法１２００は、サーバ装置５００からサービスの提供を受けるクライアント装置６００において行われる。
サーバ装置への接続方法１２００は、接続情報取得ステップ１２１０と、サービス享受ステップ１２２０とを含む。
クライアント装置６００は接続情報取得ステップ１２１０を実行することによって、上記接続情報取得部６１０と同様の機能を発揮する。
クライアント装置６００はサービス享受ステップ１２２０を実行することによって、上記サービス享受部６２０と同様の機能を発揮する。
【００９１】
図１９は、上記各実施形態、及び変形例に共通する技術的特徴を有する通信システムにおける接続方法の概略を示す図である。
図１９に示す通信システムにおける接続方法４は、上記通信システム３において行われ、上記クライアント装置への接続方法１１００とサーバ装置への接続方法１２００とによって構成され、サーバ装置５００からクライアント装置６００へサービスが提供される。
【産業上の利用可能性】
【００９２】
本発明のサーバ装置、クライアント装置、通信システム、サーバ制御用集積回路、クライアント制御用集積回路、サーバプログラム、クライアントプログラム、クライアント装置への接続方法、サーバ装置への接続方法、及び通信システム接続方法は、通信機能が搭載されてネットワーク接続する機能を有するテレビ等の宅内家電機器や携帯電話等のモバイル機器に利用可能であり、高性能な端末実装を必要とせずに、セキュリティを担保しつつ、ユーザの利便性を向上させることができるので、大変有用である。
【符号の説明】
【００９３】
１        通信システム
２        通信システム
３        通信システム
４        通信システムおける接続方法
１００    サーバ装置
１１０    接続情報管理部
１２０    光信号送信部
１２１    解像度別光送信制御部
１２２    発光素子
１３０    サービス提供部
１３１    ＬＡＮ通信部
１３２    接続管理部
１３３    認証処理部
２００    クライアント装置
２１０    接続情報取得部
２１１    受光素子
２１２    解像度別光受信制御部
２２０    サービス享受部
２２１    ユーザ確認部
２２２    接続要求部
２２３    無線ＬＡＮ通信部
３００    サーバ装置
３２０    光信号送信部
３２３    認証分割部
４００    クライアント装置
４１０    接続情報取得部
４１３    認証結合部
５００    サーバ装置
５１０    情報管理部
５２０    光信号送信部
５３０    サービス提供部
６００    クライアント装置
６１０    接続情報取得部
６２０    サービス享受部
７００    サーバ制御用集積回路
７１０    情報管理部
７２０    光信号送信部
７３０    サービス提供部
８００    クライアント制御用集積回路
８１０    接続情報取得部
８２０    サービス享受部
９００    サーバプログラム
９１０    情報管理ステップ
９２０    光信号送信ステップ
９３０    サービス提供ステップ
１０００  クライアントプログラム
１０１０  接続情報取得ステップ
１０２０  サービス享受ステップ
１１００  クライアント装置への接続方法
１１１０  情報管理ステップ
１１２０  光信号送信ステップ
１１３０  サービス提供ステップ
１２００  サーバ装置への接続方法
１２１０  接続情報取得ステップ
１２２０  サービス享受ステップ
【図１】
0005490145.tif 000002
【図２】
0005490145.tif 000003
【図３】
0005490145.tif 000004
【図４】
0005490145.tif 000005
【図５】
0005490145.tif 000006
【図６】
0005490145.tif 000007
【図７】
0005490145.tif 000008
【図８】
0005490145.tif 000009
【図９】
0005490145.tif 000010
【図１０】
0005490145.tif 000011
【図１１】
0005490145.tif 000012
【図１２】
0005490145.tif 000013
【図１３】
0005490145.tif 000014
【図１４】
0005490145.tif 000015
【図１５】
0005490145.tif 000016
【図１６】
0005490145.tif 000017
【図１７】
0005490145.tif 000018
【図１８】
0005490145.tif 000019
【図１９】
0005490145.tif 000020